(57)【要約】【課題】回転するポリゴンモーターの振動がハウジングに伝達されることおよび共振振動を可及的に抑止した光走査装置、およびこれを備えた画像形成装置を提供する。【解決手段】ハウジング８０は、レーザーダイオード８１と、ポリゴンモーター７１と、ポリゴンミラー７２と、ｆθレンズ８５とを備える。ポリゴンモーター７１は、軸部７１Ｓ回りにポリゴンミラー７２を回転させる。ポリゴンミラー７２は、周面に照射される光を偏向し感光体ドラム１２１に対して走査する。ｆθレンズ８５は、ハウジング８０の上面視において、ハウジング８０の隣接する固定部Ｆ同士を順次直線で結ぶことによって形成される輪郭線ＰＬの内側に配置される。また、ポリゴンモーター７１の軸受部ＦＰは、輪郭線ＰＬの線上に配置される。【選択図】図３
2014194487.tif 000002
【特許請求の範囲】
【請求項１】
装置本体に対して、３箇所以上の固定部において固定されるハウジングと、
前記ハウジングに配置され、光を出射する光源と、
前記ハウジングに収容され、回転駆動され、照射される前記光を偏向し所定の被照射体に対して走査する周面を有するポリゴンミラーと、
前記ポリゴンミラーの回転軸心に連結される回転軸を有し、前記回転軸心回りに前記ポリゴンミラーを回転させるポリゴンモーターと、
前記ハウジングに配置され、前記ポリゴンモーターの前記回転軸を軸支する軸受部と、
前記ハウジング内における前記光源と前記被照射体との間の光路上に配置されるレンズと、を備え、
前記レンズは、前記ハウジングの上面視において、隣接する前記固定部同士を順次直線で結ぶことによって形成される輪郭線の内側に配置され、
前記軸受部は、前記上面視において、前記輪郭線の線上に配置されることを特徴とする光走査装置。
【請求項２】
前記ハウジングは、前記固定部においてそれぞれネジによって前記装置本体に固定され、
前記輪郭線は、隣接する前記ネジの頭部の周縁同士を結ぶ帯状の線であり、
少なくとも前記軸受部の一部が、前記上面視において、前記帯状の輪郭線の上に配置されることを特徴とする請求項１に記載の光走査装置。
【請求項３】
前記上面視において、前記軸受部の中心が、前記帯状の輪郭線の上に配置されることを特徴とする請求項２に記載の光走査装置。
【請求項４】
前記ハウジングは、前記固定部においてそれぞれネジによって前記装置本体に固定され、
前記輪郭線は、隣接する前記ネジの軸部の周縁同士を結ぶ帯状の線であり、
少なくとも前記軸受部の一部が、前記上面視において、前記帯状の輪郭線の上に配置されることを特徴とする請求項１に記載の光走査装置。
【請求項５】
前記上面視において、前記軸受部の中心が、前記帯状の輪郭線の上に配置されることを特徴とする請求項４に記載の光走査装置。
【請求項６】
前記軸受部は、前記固定部のうち一の固定部と、前記一の固定部に隣接する他の固定部との中点よりも、前記一の固定部側に配置されることを特徴とする請求項１乃至５の何れか１項に記載の光走査装置。
【請求項７】
前記固定部は、
第１固定部と、
前記第１固定部に隣接する第２固定部と、
前記第２固定部に隣接し、前記第１固定部の対角に位置する第３固定部と、
前記第１固定部および前記第３固定部に隣接する第４固定部と、からなり、
前記レンズは、前記第１固定部と前記第２固定部とを結ぶ第１輪郭線の内側において、前記光の主走査方向に延設され、前記ポリゴンミラーによって偏向された前記光を前記被照射体に向かって屈折させるｆθレンズであり、
前記第１輪郭線と、前記第３固定部と前記第４固定部とを結ぶ第２輪郭線とは、前記主走査方向に沿って、互いに平行に配置され、
前記軸受部は、前記第３固定部と前記第４固定部との間に配置されることを特徴とする請求項１乃至６の何れか１項に記載の光走査装置。
【請求項８】
前記光源は、前記第１固定部と前記第４固定部とを結ぶ第３輪郭線の線上または近傍に配置されることを特徴とする請求項７に記載の光走査装置。
【請求項９】
請求項１乃至８の何れか１項に記載の光走査装置と、
前記ポリゴンミラーによって走査され、表面に静電潜像が形成される前記被照射体としての像担持体と、
を有することを特徴とする画像形成装置。
【発明の詳細な説明】
【技術分野】
【０００１】
本発明は、像担持体に静電潜像を形成する光走査装置、およびこれを備えた画像形成装置に関する。
【背景技術】
【０００２】
特許文献１には、シートに画像を形成する画像形成装置において、画像を担持する感光体ドラムに静電潜像を形成する光走査装置に関する技術が開示されている。特許文献１に開示された光走査装置は、ハウジング内にレーザーダイオードと、レンズと、ポリゴンミラーと、ポリゴンモーターと、ｆθレンズと、を備えている。
【０００３】
レーザーダイオードから出射されたレーザー光は、レンズを介してポリゴンモーターによって回転駆動されるポリゴンミラーへと導かれる。ポリゴンミラーに入射したレーザー光は、ポリゴンミラーの鏡面で反射偏向されｆθレンズを通った後、主走査方向に走査されながら、副走査方向に回転する感光体ドラムのドラム面に導かれる。
【０００４】
特許文献１に開示された光走査装置のハウジングは、画像形成装置の装置本体に対して３点の固定位置で固定される。振動源であるポリゴンモーターのハウジングに対する固定部は、前記３点の固定位置を直線で結んだ領域の外側に配置される。
【０００５】
また、特許文献２には、レーザーダイオードやポリゴンモーターを固定する光学箱と、前記光学箱を支持する本体ステイとの間に、弾性部材を配置させる技術が開示されている。この技術によると、弾性部材が振動を吸収することによって、ポリゴンモーターの回転振動が本体ステイに伝達することが防止される。
【先行技術文献】
【特許文献】
【０００６】
【特許文献１】特開平７−８４２０５号公報
【特許文献２】特開平９−３１８９０１号公報
【発明の概要】
【発明が解決しようとする課題】
【０００７】
しかしながら、特許文献１に開示された技術では、ハウジングの装置本体に対する固定領域の外側にポリゴンモーターの固定部が配置されるため、ハウジングが部分的に片持ち梁の構造となる。片持ち梁の自由端側では比較的振動が減衰しやすい。しかしながら、ポリゴンモーターの周辺に位置する光学部品への振動伝達を抑えるためには、前記自由端部にリブ部材を配置するなどの対策を講じて、ハウジングの剛性を更に高める必要があった。
【０００８】
また、特許文献２に開示された技術では、ポリゴンモーターの回転によって周辺の温度が上昇した場合、弾性部材の熱変形が誘発されやすい。この結果、光学部品を支持する光学箱の位置が変動し、画像欠陥が生じることがあった。
【０００９】
本発明は、上記問題に鑑みてなされたものであり、回転するポリゴンモーターの振動がハウジングに伝達されることおよび共振振動を可及的に抑止した光走査装置、およびこれを備えた画像形成装置を提供することを目的とする。
【課題を解決するための手段】
【００１０】
本発明の一局面に係る光走査装置は、装置本体に対して、３箇所以上の固定部において固定されるハウジングと、前記ハウジングに配置され、光を出射する光源と、前記ハウジングに収容され、回転駆動され、照射される前記光を偏向し所定の被照射体に対して走査する周面を有するポリゴンミラーと、前記ポリゴンミラーの回転軸心に連結される回転軸を有し、前記回転軸心回りに前記ポリゴンミラーを回転させるポリゴンモーターと、前記ハウジングに配置され、前記ポリゴンモーターの前記回転軸を軸支する軸受部と、前記ハウジング内における前記光源と前記被照射体との間の光路上に配置されるレンズと、を備え、前記レンズは、前記ハウジングの上面視において、隣接する前記固定部同士を順次直線で結ぶことによって形成される輪郭線の内側に配置され、前記軸受部は、前記上面視において、前記輪郭線の線上に配置されることを特徴とする。
【００１１】
本構成によれば、輪郭線よりも内側は、ハウジングの振動における腹部となる。一方、輪郭線の線上は、前記振動における節部となる。このため、振動源としての軸受部が、輪郭線上に配置されることによって、ハウジングの振動における振幅が縮小される。また、ハウジングの振動における共振周波数が上昇する。この結果、ハウジングの共振現象が生じにくく、高次共振が生じることによる不具合が好適に抑止される。
【００１２】
上記の構成において、前記ハウジングは、前記固定部においてそれぞれネジによって前記装置本体に固定され、前記輪郭線は、隣接する前記ネジの頭部の周縁同士を結ぶ帯状の線であり、少なくとも前記軸受部の一部が、前記上面視において、前記帯状の輪郭線の上に配置されることが望ましい。
【００１３】
本構成によれば、固定部の隣接するネジの頭部の周縁同士を結ぶ帯状の輪郭線が形成される。そして、前記帯状の輪郭線が、ハウジングの振動における節部となる。また、軸受部を前記節部に配置することができる。
【００１４】
上記の構成において、前記上面視において、前記軸受部の中心が、前記帯状の輪郭線の上に配置されることが望ましい。
【００１５】
本構成によれば、軸受部を前記振動における節部に確実に配置させることができる。
【００１６】
上記の構成において、前記ハウジングは、前記固定部においてそれぞれネジによって前記装置本体に固定され、前記輪郭線は、隣接する前記ネジの軸部の周縁同士を結ぶ帯状の線であり、少なくとも前記軸受部の一部が、前記上面視において、前記帯状の輪郭線の上に配置されることが望ましい。
【００１７】
本構成によれば、固定部の隣接するネジの軸部の周縁同士を結ぶ帯状の輪郭線が形成される。そして、前記帯状の輪郭線が、ハウジングの振動における節部となる。また、軸受部を前記節部に配置することができる。
【００１８】
上記の構成において、前記上面視において、前記軸受部の中心が、前記帯状の輪郭線の上に配置されることが望ましい。
【００１９】
本構成によれば、軸受部を前記振動における節部に確実に配置させることができる。
【００２０】
上記の構成において、前記軸受部は、前記固定部のうち一の固定部と、前記一の固定部に隣接する他の固定部との中点よりも、前記一の固定部側に配置されることが望ましい。
【００２１】
本構成によれば、振動における節部上に配置された軸受部が一の固定部に近い位置に配置されることによって、ハウジングの振動を一層抑止することができる。
【００２２】
上記の構成において、前記固定部は、第１固定部と、前記第１固定部に隣接する第２固定部と、前記第２固定部に隣接し、前記第１固定部の対角に位置する第３固定部と、前記第１固定部および前記第３固定部に隣接する第４固定部と、からなり、前記レンズは、前記第１固定部と前記第２固定部とを結ぶ第１輪郭線の内側において、前記光の主走査方向に延設され、前記ポリゴンミラーによって偏向された前記光を前記被照射体に向かって屈折させるｆθレンズであり、前記第１輪郭線と、前記第３固定部と前記第４固定部とを結ぶ第２輪郭線とは、前記主走査方向に沿って、互いに平行に配置され、前記軸受部は、前記第３固定部と前記第４固定部との間に配置されることが望ましい。
【００２３】
本構成によれば、ハウジングは４箇所の固定部において、装置本体に固定される。ｆθレンズは第１輪郭線の内側に配置され、ポリゴンモーターの軸受部は第３固定部と第４固定部との間に配置される。更に、第１輪郭線と第２輪郭線とが互いに平行に配置されるように各固定部の位置が設定されることによって、ハウジングが装置本体に安定して固定される。
【００２４】
上記の構成において、前記光源は、前記第１固定部と前記第４固定部とを結ぶ第３輪郭線の線上または近傍に配置されることが望ましい。
【００２５】
本構成によれば、振動源のポリゴンモーターの軸受部とは異なる輪郭線の線上または近傍に光源を配置することができる。このため、前記光源に振動が伝達することが好適に抑止される。
【００２６】
本発明の他の局面に係る画像形成装置は、上記の何れか１に記載の光走査装置と、前記ポリゴンミラーによって走査され、表面に静電潜像が形成される前記被照射体としての像担持体と、を有することを特徴とする。
【００２７】
本構成によれば、振動源としてのポリゴンモーターの軸受部が、輪郭線上に配置されることによって、ハウジングの振動における振幅が縮小される。また、ハウジングの振動における共振周波数が上昇する。この結果、ハウジングの共振現象が生じにくく、高次共振が生じることによる不具合が好適に抑止される。この結果、像担持体に静電潜像が安定して形成される。
【発明の効果】
【００２８】
本発明によれば、回転するポリゴンモーターの振動がハウジングに伝達されることおよび共振振動を可及的に抑止した光走査装置、およびこれを備えた画像形成装置が提供される。
【図面の簡単な説明】
【００２９】
【図１】本発明の実施形態に係る画像形成装置の斜視図である。
【図２】本発明の実施形態に係る画像形成装置の内部構造を概略的に示す断面図である。
【図３】本発明の実施形態に係る露光装置の内部を示した平面図である。
【図４】本発明の実施形態に係るポリゴンモーターの軸部を示した斜視図である。
【図５】本発明の実施形態に係る露光装置の固定部の一部を示した平面図である。
【発明を実施するための形態】
【００３０】
以下、図面を参照しつつ、本発明の一実施形態について説明する。図１は、本発明の一実施形態に係る画像形成装置１の斜視図である。図２は、図１に示される画像形成装置１の内部構造を概略的に示す図である。なお、図２には、図１の上部筐体２２は現れていない。
【００３１】
図１及び図２に示される画像形成装置１は、いわゆるモノクロプリンター機であるが、他の実施形態において、画像形成装置は、カラープリンター、ファクシミリ装置、これらの機能を備える複合機やトナー画像をシートに形成するための他の装置であってもよい。
【００３２】
尚、以下の説明で用いられる「上」や「下」、「前」や「後」、「左」や「右」といった方向を表す用語は、単に、説明の明瞭化を目的とするものであり、画像形成装置の原理を何ら限定するものではない。また、以下の説明において、「シート」との用語は、コピー用紙、コート紙、ＯＨＰシート、厚紙、葉書、トレーシングペーパーや画像形成処理を受ける他のシート材料或いは画像形成処理以外の任意の処理を受けるシート材料を意味する。
【００３３】
画像形成装置１は、略直方体形状の主筐体２を含む。主筐体２は、略直方体形状の下部筐体２１（装置本体）と、下部筐体２１の上方に配設される略直方体形状の上部筐体２２と、下部筐体２１と上部筐体２２とを連結する連結筐体２３とを含む。連結筐体２３は、主筐体２の右縁及び背面縁に沿って延びる。下部筐体２１、上部筐体２２及び連結筐体２３で囲まれる排出空間２４に印刷処理が施与されたシートが排出される。
【００３４】
画像形成装置１は、上部筐体２２から突出する操作部２２１を含む。操作部２２１は、例えば、ＬＣＤタッチパネル２２２を含む。操作部２２１は、画像形成処理に関する情報を入力可能に形成される。使用者は、例えば、ＬＣＤタッチパネル２２２を通じて、印刷されるシートの枚数等を入力したり、印刷濃度等を入力したりすることができる。上部筐体２２内には、主に原稿の画像を読み取るための機器や画像形成装置１の全体の制御を司る電子回路が収容される。
【００３５】
上部筐体２２の上に配設される押さえカバー２２３は、原稿を押さえるために用いられる。押さえカバー２２３は、上部筐体２２に上下に回動可能に取り付けられる。使用者は、押さえカバー２２３を上方に回動させ、上部筐体２２上に原稿を載置する。その後、使用者は操作部２２１を操作して、原稿の画像を上部筐体２２内に配設された機器に読み取らせることができる。
【００３６】
下部筐体２１の右側面には、手差トレイ２４０が配設される。手差トレイ２４０は、下端２４０Ａ（図２）を支点として、上端２４０Ｂ側が上下に回動可能である。手差トレイ
２４０が下方に回動され、手差トレイ２４０が下部筐体２１から右方に突出する位置にあるとき、ユーザーは手差トレイ２４０上にシートを載置可能である。手差トレイ２４０上のシートは、操作部２２１を通じてユーザーによって入力された指示に基づき、下部筐体２１内に引き込まれた後、画像形成処理を施与され、排出空間２４へ排出される。
【００３７】
図２を参照して、画像形成装置１は、カセット１１０と、給紙部１１と、第２給紙ローラー１１４と、中間ローラー１１５と、レジストローラー対１１６と、画像形成部１２０とを備える。給紙部１１は、ピックアップローラー１１２と、第１給紙ローラー１１３と、を備える。給紙部１１は、シート搬送路ＰＰにシートＰを送り出す。シート搬送路ＰＰは、給紙部１１から、中間ローラー対１１５、レジストローラー対１１６を介して、画像形成部１２０内に配設された転写位置を通過するように配設された搬送路である。
【００３８】
カセット１１０は、内部にシートＰを収容する。カセット１１０は、下部筐体２１から正面方向（図１の紙面手前方向）に引出可能である。カセット１１０内に収容されたシートＰは、下部筐体２１内で上方に送り出される。その後、シートＰは、操作部２２１を通じて使用者によって入力された指示に基づき、下部筐体２１内で画像形成処理を施与され、排出空間２４へ排出される。カセット１１０は、シートＰを支持するリフト板１１１を備える。リフト板１１１は、シートＰの先頭縁を上方に押し上げるように傾斜する。
【００３９】
ピックアップローラー１１２は、リフト板１１１によって上方に押し上げられたシートＰの先頭縁上に配置される。ピックアップローラー１１２が回転すると、シートＰはカセット１１０から引き出される。
【００４０】
第１給紙ローラー１１３は、ピックアップローラー１１２のシート搬送方向下流側（以下、単に下流ともいう）に配設される。第１給紙ローラー１１３は、シートＰを更に下流側に送り出す。第２給紙ローラー１１４は、手差しトレイ２４０の下端２４０Ａ側に配設される。第２給紙ローラー１１４は、手差トレイ２４０上のシートＰを下部筐体２１内に引き込む。使用者は、カセット１１０に収容されたシートＰ、または手差トレイ２４０の上に載置されたシートＰを選択的に使用することができる。
【００４１】
中間ローラー対１１５は、第１給紙ローラー１１３、第２給紙ローラー１１４のシート搬送方向下流側に配設される。中間ローラー対１１５は、第１給紙ローラー１１３、第２給紙ローラー１１４によって送り出されたシートＰを更に下流へ搬送する。
【００４２】
レジストローラー対１１６は、シート搬送方向と直交する方向のシートの位置を規定する。これにより、シートＰ上に形成される画像の位置が調整される。レジストローラー対１１６は、ローラー間にニップ部を形成する。レジストローラー対１１６は、画像形成部１２０において、シートＰにトナー画像が転写されるタイミングに合わせて、シートＰを画像形成部１２０に搬送する。また、レジストローラー対１１６は、シートＰの斜行（スキュー）を補正する機能を備える。
【００４３】
図２を参照して、画像形成部１２０は、感光体ドラム１２１と、帯電器１２２と、露光装置１２３と、現像装置１２４と、トナーコンテナ１２５と、転写ローラー１２６と、搬送ベルト１８０と、クリーニング装置１２７と、を備える。
【００４４】
感光体ドラム１２１は、略円筒体の形状を有する。感光体ドラム１２１は、表面に静電潜像が形成されるとともに、該静電潜像に応じたトナー画像を担持する。この際、感光体ドラム１２１は、後記の露光装置１２３のポリゴンミラー７２によって走査され、前記静電潜像が形成される。
【００４５】
帯電器１２２は、所定の電圧が印加され、感光体ドラム１２１の周面を略一様に帯電させる。露光装置１２３は、帯電器１２２によって帯電された感光体ドラム１２１の周面に、レーザー光を照射する。該レーザー光は、画像形成装置１に通信可能に接続されたパーソナルコンピュータといった外部装置（図示せず）から出力された画像データに従って、照射される。この結果、感光体ドラム１２１の周面には、画像データに対応する静電潜像が形成される。
【００４６】
現像装置１２４は、静電潜像が形成された感光体ドラム１２１の周面にトナーを供給する。トナーコンテナ１２５は、現像装置１２４へトナーを供給する。トナーコンテナ１２５は、現像装置１２４に順次又は必要に応じてトナーを供給する。現像装置１２４がトナーを感光体ドラム１２１に供給すると、感光体ドラム１２１の周面に形成された静電潜像が現像（可視化）される。この結果、感光体ドラム１２１の周面に、トナー画像が形成されることとなる。
【００４７】
転写ローラー１２６は、転写位置において、感光体ドラム１２１の周面に対向して配設される。転写ローラー１２６は、搬送ベルト１８０の内周面に当接して、感光体ドラム１２１に対向するように配設される。
【００４８】
搬送ベルト１８０は、無端状ベルトからなる。搬送ベルト１８０は、転写ローラー１２６よりもシート搬送方向上流側および下流側において、張架ローラー１８２および駆動ローラー１８１によって張架されている。駆動ローラー１８１は、不図示の駆動部により回転駆動され、搬送ベルト１８０を走行させる。搬送ベルト１８０は、転写位置にシートＰを搬送する。シートＰが転写位置を通過するときに、感光体ドラム１２１の周面に形成されたトナー画像が、シートＰに転写される。
【００４９】
クリーニング装置１２７は、シートＰへトナー画像が転写された後に、感光体ドラム１２１の周面に残るトナーを除去する。クリーニング装置１２７によって、清浄化された感光体ドラム１２１の周面は、再度、帯電器１２２の下方を通過し、一様に帯電される。その後、上述のトナー画像の形成が新たに行われる。
【００５０】
画像形成装置１は、画像形成部１２０よりも搬送方向下流側に、シートＰ上のトナー画像を定着させる定着装置１３０を更に備える。定着装置１３０は、シートＰ上のトナーを溶融させる加熱ローラー１３１と、シートＰを加熱ローラー１３１に密着させる圧力ローラー１３２と、を備える。シートＰが加熱ローラー１３１と圧力ローラー１３２との間を通過すると、トナー画像は、シートＰに定着される。
【００５１】
画像形成装置１は、定着装置１３０の下流に配設された搬送ローラー対１３３と、搬送ローラー対１３３の下流に配設された排出ローラー対１３４と、を更に備える。シートＰは、搬送ローラー対１３３および排出ローラー対１３４によって、下部筐体２１から排出される。下部筐体２１から排出されたシートＰは、上壁２１０上に積み重ねられる。
【００５２】
次に、図３を参照して、本実施形態に係る露光装置１２３の構成について説明する。図３は、本実施形態に係る露光装置１２３の内部構造を示した平面図である。なお、図３は、露光装置１２３の不図示の天板を取り外した状態に相当する。露光装置１２３は、下部筐体２１の内部に配置される。露光装置１２３は、ハウジング８０と、レーザーダイオード８１（光源）と、コリメータレンズ８２と、シリンドリカルレンズ８３と、ポリゴンモーター基板７と、ｆθレンズ８５と、を備えている。
【００５３】
ハウジング８０は、露光装置１２３の各部品を収容する筐体である。ハウジング８０は、上面視で六角形形状の偏平な筐体である。ハウジング８０は、ハウジング本体８０Ｇと、不図示の天板と、を備える。ハウジング本体８０Ｇは、右方、後方、左方、前方を、それぞれ、右壁８１３、後壁８１０、左壁８１１、前壁８１２によって画定される。また、ハウジング８０の底面は、底部８０Ｓによって画定される。天板は、ハウジング本体８０Ｇの上側に装着され、ハウジング本体１０に装着された状態で、右壁８１３、後壁８１０、左壁８１１、前壁８１２に連設される。ハウジング８０の内部には、各種光学部品などが配置される内部空間が形成される。本実施形態では、ハウジング８０は、後記のとおり３箇所以上の固定部、ここでは４箇所の固定部Ｆ（Ｆ１〜Ｆ４）において、下部筐体２１の不図示の設置面に固定される。
【００５４】
レーザーダイオード８１は、ハウジング８０に配置され、図外の画像メモリで生成されて出力された画像データ信号に応じたレーザー光（光）を出射（出力）する。レーザーダイオード８１は、ハウジング８０の後壁８１０の内側に配置される。このレーザーダイオード８１は、レーザー光の出射タイミング等の制御を行う不図示の回路基板に電気的に接続されている。コリメータレンズ８２は、レーザーダイオード８１から入射したレーザー光を平行光に変換する機能を有している。シリンドリカルレンズ８３は、前記レーザー光をポリゴンミラー７２の周面に導く。
【００５５】
ポリゴンモーター基板７は、ハウジング８０の左壁８１１の内側に配置される。ポリゴンモーター基板７は、基板部７０と、基板部７０上にポリゴンモーター７１とポリゴンミラー７２とを備える。基板部７０は、矩形形状からなる板状部材である。図３に示されるように、基板部７０は、スクリューＳ１、Ｓ２、Ｓ３、Ｓ４によって、ハウジング８０の底部８０Ｓに固定される。
【００５６】
ポリゴンモーター７１は、ポリゴンモーター基板７の基板部７０に回転可能に支持される。ポリゴンモーター７１は、軸部７１Ｓ（回転軸）を有する（図４参照）。軸部７１Ｓは、ポリゴンミラー７２の回転軸心に連結される。ポリゴンモーター７１は駆動電流が入力され、所定の回転数でポリゴンミラー７２を前記回転軸心回りに回転させる。
【００５７】
ポリゴンミラー７２は、ハウジング８０に収容され、回転駆動される。ポリゴンミラー７２は、レーザーダイオード８１から照射される前記レーザー光を偏向し感光体ドラム１２１に対して走査する周面を有する。ポリゴンミラー７２は、平面視正多角形状（図３では正五角形状）の平板状に形成され、前記周面に複数のミラー面を有する。ポリゴンミラー７２は、図３の矢印ＤＰ方向に回転駆動される。
【００５８】
ポリゴンモーター７１は、軸部７１Ｓ回りにポリゴンミラー７２を回転させる。そして、ポリゴンモーター７１は、ポリゴンミラー７２の各ミラー面が、順に、左壁８１１、前壁８１２および右壁８１３に対向するように、ポリゴンミラー７２を回転させる。ポリゴンミラー７２は、ポリゴンモーター７１によって回転されながら、シリンドリカルレンズ８３から出射されたレーザー光を偏向し、ｆθレンズ８５に向けて走査する。なお、前述のコリメータレンズ８２およびシリンドリカルレンズ８３は、ハウジング８０内におけるレーザーダイオード８１と感光体ドラム１２１との間の光路上に配置される。詳しくは、コリメータレンズ８２およびシリンドリカルレンズ８３は、ハウジング８０において、レーザーダイオード８１とポリゴンミラー７２との間に配置される。
【００５９】
ｆθレンズ８５は、ポリゴンモーター基板７の右方において、前後方向に沿って配置される。ｆθレンズ８５は、ポリゴンミラー７２と右壁８１３との間に配置される。ｆθレンズ８５は、上面視で略アーチ形状からなる。特に、ｆθレンズ８５の中央部は、ポリゴンミラー７２に向かって突出しており、ｆθレンズ８５の両端部は、右壁８１３に向かって突出している。ｆθレンズ８５は、ポリゴンミラー７２で偏向されたレーザー光を屈折させ、感光体ドラム１２１に導き、感光体ドラム１２１上で等速走査させる機能を有している。このため、ｆθレンズ８５は、ハウジング８０内におけるレーザーダイオード８１と感光体ドラム１２１との間の光路上であって、ポリゴンミラー７２と感光体ドラム１２１との間に配置される。
【００６０】
この露光装置１２３では、レーザーダイオード８１から出射されたレーザー光がコリメータレンズ８２、シリンドリカルレンズ８３を介してポリゴンミラー７２へと導かれる。そして、回転するポリゴンミラー７２に入射したレーザー光は、ポリゴンミラー７２の鏡面で反射偏向されｆθレンズ８５を通った後、右壁８１３に開口された不図示の出射開口部を通過する。出射開口部を通過したレーザー光は、所定の走査方向（主走査方向、図３の矢印ＭＬ方向）に水平走査されながら、前記走査方向と直交する軸心回り（副走査方向）に回転する感光体ドラム１２１のドラム面に導かれる。なお、図３では、感光体ドラム１２１に向かって照射されるレーザー光が、矢印Ｌで描かれている。
【００６１】
次に、本実施形態において、下部筐体２１に対するハウジング８０の固定位置について説明する。前述のとおり、本実施形態では、ハウジング８０は４箇所において下部筐体２１に固定される。図３を参照して、ハウジング８０は、第１固定部Ｆ１、第２固定部Ｆ２、第３固定部Ｆ３および第４固定部Ｆ４において下部筐体２１に固定される。ハウジング８０は、各固定部において後記のネジによって下部筐体２１に固定される。この際、図３に示されるハウジング８０の上面視において、隣接する前記固定部Ｆ同士を順次直線で結ぶことによって形成される輪郭線が、輪郭線ＰＬと定義される。詳しくは、第１固定部Ｆ１と第２固定部Ｆ２とを結ぶ直線が、第１輪郭線ＰＬ１と定義され、第３固定部Ｆ３と第４固定部Ｆ４とを結ぶ直線が、第２輪郭線ＰＬ２と定義される。また、第４固定部Ｆ４と第１固定部Ｆ１とを結ぶ直線が、第３輪郭線ＰＬ３と定義され、第２固定部Ｆ２と第３固定部Ｆ３とを結ぶ直線が、第４輪郭線ＰＬ４と定義される。なお、第２固定部Ｆ２は、第１固定部Ｆ１に隣接して配置される。また、第３固定部Ｆ３は、第２固定部Ｆ２に隣接し、第１固定部Ｆ１の対角に位置する。また、第４固定部Ｆ４は、第１固定部Ｆ１および第３固定部Ｆ３に隣接し、第２固定部Ｆ２の対角に位置する。
【００６２】
図３に示されるように、前述のコリメータレンズ８２、シリンドリカルレンズ８３およびｆθレンズ８５は、輪郭線ＰＬの内側に配置されている。特に、ｆθレンズ８５は、第１輪郭線ＰＬ１の内側において、前記主走査方向（前後方向、図３の矢印ＭＬ方向）に延設されている。また、第１輪郭線ＰＬ１と第２輪郭線ＰＬ２とは、前記主走査方向に沿って、互いに平行に配置されている。また、レーザーダイオード８１は、第３輪郭線ＰＬ３の近傍に配置される。
【００６３】
更に、ハウジング８０に対するポリゴンモーター基板７の固定位置について詳しく説明する。図４は、ポリゴンモーター７１の軸部７１Ｓについて説明するための模式的な斜視図である。図４は、基板部７０と底部８０Ｓとの間における軸部７１Ｓの様子について説明する図である。図５は、第３固定部Ｆ３と第４固定部Ｆ４との間におけるポリゴンモーター７１の軸部７１Ｓの軸受部ＦＰの配置を説明するための平面図である。
【００６４】
ポリゴンモーター基板７は、図３に示すように、第３固定部Ｆ３と第４固定部Ｆ４との間に配置される。特に、本実施形態では、ポリゴンモーター基板７を底部８０Ｓに固定するためのスクリューＳに関して、第１スクリューＳ１および第２スクリューＳ２は、第２輪郭線ＰＬ２の内側に配置される。一方、第３スクリューＳ３および第４スクリューＳ４は、第２輪郭線ＰＬ２の外側に配置される。そして、ポリゴンモーター７１の軸部７１Ｓの軸受部ＦＰは、第２輪郭線ＰＬ２の線上に配置される。
【００６５】
図４を参照して、ポリゴンモーター７１の軸部７１Ｓは、基板部７０に形成された開口部７０Ｐを貫通して、下方に突出している。一方、基板部７０に対向するハウジング８０の底部８０Ｓには、前記軸部７１Ｓが挿通される軸受部ＦＰとしての孔部８０ＳＨが開口されている。孔部８０ＳＨに挿通された軸部７１Ｓは、孔部８０ＳＨの内周面に僅かに接触しながら回転される。この際、軸部７１Ｓの水平方向（軸部７１Ｓの回転軸と直交する方向、底部８０Ｓに沿う方向）における位置が所定の範囲において規定される。一方、孔部８０ＳＨは、軸部７１Ｓの上下方向の位置を拘束するものではない。
【００６６】
ポリゴンモーター７１がポリゴンミラー７２を回転させるにあたって、ポリゴンモーター７１およびポリゴンミラー７２の回転に伴う振動がハウジング８０に著しく伝達されると、ハウジング８０に収容されるコリメータレンズ８２、シリンドリカルレンズ８３およびｆθレンズ８５が振動する場合がある。特に、前記振動が、ハウジング８０において共振振動を引き起こした場合、各レンズの振動によって感光体ドラム１２１上の静電潜像にジッタなどの画像欠陥が発生する。
【００６７】
上記の課題を解決するために、本実施形態では、前述のように、軸部７１Ｓの軸受部ＦＰは、第２輪郭線ＰＬ２の線上に配置されている。図３を参照して、第１固定部Ｆ１、第２固定部Ｆ２、第３固定部Ｆ３および第４固定部Ｆ４によって形成される輪郭線ＰＬの内側、特に、中央部Ｗは、ハウジング８０の振動における腹部となりやすい。一方、輪郭線ＰＬを構成する第１輪郭線ＰＬ１、第２輪郭線ＰＬ２、第３輪郭線ＰＬ３および第４輪郭線ＰＬ４の線上は、前記振動における節部となる。このため、振動源としてのポリゴンモーター７１の軸受部ＦＰが、第２輪郭線ＰＬ２上に配置されることによって、ハウジング８０の振動における振幅が縮小され、共振周波数が上昇する。この結果、ハウジング８０の共振現象が生じにくく、高次共振が生じることによる前記不具合が好適に抑止される。したがって、上記のように、軸部７１Ｓから孔部８０ＳＨ（軸受部ＦＰ）を介して、ポリゴンモーター７１の振動がハウジング８０に伝達されやすい構成であっても、ポリゴンモーター７１の振動の伝達が可及的に抑止される。更に、振動源のポリゴンモーター７１の軸受部ＦＰとは異なる輪郭線（第３輪郭線ＰＬ３）の近傍にレーザーダイオード８１が配置される。このため、レーザーダイオード８１にポリゴンモーター７１の振動が伝達することが好適に抑止される。なお、他の実施形態において、レーザーダイオード８１は、前記輪郭線（第３輪郭線ＰＬ３）の線上に配置されてもよい。この場合、節上に配置されたレーザーダイオード８１にポリゴンモーター７１の振動が伝達することが一層抑止される。
【００６８】
一方、ポリゴンモーター７１の軸受部ＦＰが、第２輪郭線ＰＬ２よりも内側（中央部Ｗ側）に配置された場合、上記のようにハウジング８０の振動における腹部に近い位置に、振動源が配置されることとなる。このため、ポリゴンモーター７１の振動によってもたらされるハウジング８０の振動における振幅が増大される。この結果、コリメータレンズ８２、シリンドリカルレンズ８３およびｆθレンズ８５に前記振動が伝達されやすく、前記ジッタなどの不具合が生じやすくなる。また、ポリゴンモーター７１の軸受部ＦＰが第２輪郭線ＰＬ２よりも外側に配置された場合、軸受部ＦＰが配置される領域は、ハウジング８０の底部８０Ｓの自由端部分に近い位置となる。この領域は、ポリゴンモーター基板７の自重によって底部８０Ｓが撓みやすい。したがって、ポリゴンモーター基板７による底部８０Ｓの撓みが抑止されるために、ハウジング８０の周辺、特に、下部筐体２１とハウジング８０との間には、多くのリブ部材が配置され剛性が高められる必要が生じる。本実施形態は、このようなリブ部材の追加の必要性を可及的に少なくする効果も備える。
【００６９】
次に、図５を参照して、軸受部ＦＰの好ましい配置について更に詳述する。前述のように、本実施形態では、ポリゴンモーター７１の軸受部ＦＰは、第３固定部Ｆ３と第４固定部Ｆ４との間であって、第２輪郭線ＰＬ２（図３）の線上に配置される。ここで、第２輪郭線ＰＬ２が太さを備えないとすると、第２輪郭線ＰＬ２は、第３固定部Ｆ３および第４固定部Ｆ４に締結されるネジの回転中心同士を結んだ直線に相当する。
【００７０】
実際には、図５に示すように、第３固定部Ｆ３および第４固定部Ｆ４に締結されるネジは、雄ネジ（軸部）の太さと、ネジの頭部（ネジ頭）の面積とを備える。図５において、ハウジング８０の上面視において、第３固定部Ｆ３および第４固定部Ｆ４の隣接するネジの頭部Ｆ３２およびＦ４２の外周部（周縁）同士を帯で結ぶことによって形成される領域が、第１輪郭帯Ａ１（帯状の輪郭線）と定義される。また、前記ネジの雄ネジ（軸部）Ｆ３１およびＦ４１の外周部（周縁）同士を帯で結ぶことによって形成される領域が、第２輪郭帯Ａ２（帯状の輪郭線）と定義される。具体的には、雄ネジＦ３１およびＦ４１のネジ山の頂部同士を結んだものが第２輪郭帯Ａ２である。第１固定部Ｆ１、第２固定部Ｆ２、第３固定部Ｆ３および第４固定部Ｆ４を、それぞれ同様に帯で結ぶことによって形成される前記輪郭帯よりも内側に、前述のコリメータレンズ８２、シリンドリカルレンズ８３およびｆθレンズ８５が配置される。
【００７１】
図５を参照して、ポリゴンモーター７１の軸受部ＦＰ（１）は、前記上面視において、第１輪郭帯Ａ１の上であって、かつ、第２輪郭帯Ａ２の上に配置される。また、軸受部ＦＰ（１）の中心は、第２輪郭帯Ａ２の上に配置される。このため、軸受部ＦＰ（１）は第３固定部Ｆ３および第４固定部Ｆ４に締結されたネジによって形成された前記振動の節部の上に確実に配置される。また、ポリゴンモーター７１の軸受部ＦＰ（２）では、軸受部ＦＰ（２）の一部が、第１輪郭帯Ａ１の上であって、かつ、第２輪郭帯Ａ２の上に配置される。この場合、軸受部ＦＰ（２）の中心は、第２輪郭帯Ａ２よりも外側であって、第１輪郭帯Ａ１の上に配置される。また、ポリゴンモーター７１の軸受部ＦＰ（３）では、軸受部ＦＰ（３）の一部が、第２輪郭帯Ａ２の上に配置される。この場合、軸受部ＦＰ（３）の中心は、第１輪郭帯Ａ１よりも内側に配置される。このような場合であっても、軸受部ＦＰ（２）および軸受部ＦＰ（３）は、第３固定部Ｆ３および第４固定部Ｆ４に締結されたネジによって形成された前記振動の節部の上に配置される。なお、軸受部ＦＰが前記振動の節部の上に安定して配置されるためには、前記輪郭帯の幅方向において、軸受部ＦＰが図５の軸受部ＦＰ（１）の位置に配置されることが望ましい。また、ポリゴンモーター７１の軸受部ＦＰの外径が、前記ネジの雄ネジの外径よりも小さい場合は、第２輪郭帯Ａ２の中に、軸受部ＦＰの全体が包含されるように配置されてもよい。
【００７２】
更に、図５を参照して、第３固定部Ｆ３（他の固定部）のネジの中心部Ｆ３Ｃと、第４固定部Ｆ４（一の固定部）のネジの中心部Ｆ４Ｃとを結ぶ直線上の中点に相当する位置が中点ＣＬと定義される。この場合、図５に示されるように、軸受部ＦＰは、前記中点ＣＬよりも第４固定部Ｆ４側に偏在して配置されることが望ましい。特に、軸受部ＦＰ（３）から、軸受部ＦＰ（２）、軸受部ＦＰ（１）の配置に向かって、より好ましい配置となる。これは、振動の節部に相当する第２輪郭線ＰＬ２（図３）（第１輪郭帯Ａ１、第２輪郭帯Ａ２）上においても、第４固定部Ｆ４により近い位置に軸受部ＦＰが配置されることによって、一層振幅が縮小し、共振周波数を上昇させることができるためである。また、軸受部ＦＰは、中点ＣＬよりも第３固定部Ｆ３側に配置されてもよい。
【００７３】
以上、本発明の実施形態に係る露光装置１２３及びこれを備えた画像形成装置１について説明したが、本発明はこれに限定されるものではなく、例えば次のような変形実施形態を取ることができる。
【００７４】
（１）上記の実施形態では、露光装置１２３のハウジング８０が、４箇所の固定部において下部筐体２１に固定される態様にて説明したが、本発明はこれに限定されるものではない。ハウジング８０は、３箇所以上の固定部において、すなわち前記固定部が上面視で多角形からなる輪郭線（輪郭帯）を形成するように、下部筐体２１に固定される態様であればよい。
【００７５】
（２）また、上記の実施形態では、コリメータレンズ８２、シリンドリカルレンズ８３およびｆθレンズ８５が、それぞれ、輪郭線ＰＬ（第１輪郭帯Ａ１、第２輪郭帯Ａ２）の内側に配置される態様にて説明したが、本発明はこれに限定されるものではない。いずれかのレンズが、輪郭線ＰＬ（第１輪郭帯Ａ１、第２輪郭帯Ａ２）の内側に配置される態様であってもよい。この場合であっても、前記レンズに伝達される振動の振幅が可及的に縮小される。
【符号の説明】
【００７６】
１  画像形成装置
１２０  画像形成部
１２３  露光装置（光走査装置）
１２１  感光体ドラム（像担持体）
１２６  転写ローラー
２  主筐体
２１  下部筐体（装置本体）
７  ポリゴンモーター基板
７０  基板部
７１  ポリゴンモーター
７２  ポリゴンミラー
８０  ハウジング
８０Ｇ  ハウジング本体
８０Ｓ  底部
８１  レーザーダイオード（光源）
８１０  後壁
８１１  左壁
８１２  前壁
８１３  右壁
８２  コリメータレンズ（レンズ）
８３  シリンドリカルレンズ（レンズ）
８５  ｆθレンズ（レンズ）
Ｆ１  第１固定部
Ｆ２  第２固定部
Ｆ３  第３固定部
Ｆ４  第４固定部
ＰＬ  輪郭線
ＰＬ１  第１輪郭線
ＰＬ２  第２輪郭線
ＰＬ３  第３輪郭線
ＰＬ４  第４輪郭線
Ａ１  第１輪郭帯（輪郭線）
Ａ２  第２輪郭帯（輪郭線）
【図１】
2014194487.tif 000003
【図２】
2014194487.tif 000004
【図３】
2014194487.tif 000005
【図４】
2014194487.tif 000006
【図５】
2014194487.tif 000007